【事件の表示】
　平成１１年特許願第２４９６８８号「新規ケトン類」拒絶査定不服審判事件〔平成１２年　４月　４日出願公開、特開２０００−　９５７１８〕について、次のとおり審決する。
【結　論】
　本件審判の請求は、成り立たない。
【理　由】
１．手続の経緯
　本願は、平成１１年９月３日（パリ条約による優先権主張　１９９８年９月４日　ヨーロッパ特許庁）の出願であって、拒絶理由に対して平成１３年３月３０日付けで意見書とともに手続補正書が提出され、平成１３年９月２８日付けで拒絶査定がなされ、これに対し、平成１４年１月４日に拒絶査定に対する審判請求が請求がされると共に、同年２月４日付けで明細書の手続補正がなされ、さらに、当審において平成１６年７月２６日付けで拒絶理由の通知がなされたが、これに対し、請求人からは何らの応答もない。
　
２．平成１４年２月４日付けの手続補正についての補正却下の決定
［補正却下の決定の結論］
　平成１４年２月４日付けの手続補正を却下する。
［理由］
（１）補正後の本願発明
　本件補正は特許法第１７条の２第１項第３号の規定に基づく補正であり、この補正により、特許請求の範囲は以下のように補正された。
「【請求項１】式Ｉ：
［式中、Ｙは任意に置換されるアルキル、シクロアルキル、シクロアルキルアルキル、アルキルカルボニル、シクロアルキルカルボニル、アリールカルボニル、アルキルオキシカルボニル、シクロアルキルオキシカルボニル、アリールオキシカルボニル、アミド、オキシイミノカルボニル、アルキルチオカルボニル、シクロアルキルチオカルボニルであり、全てのアルキル基は直鎖又は分枝鎖であることができ、全てのアルキル及びシクロアルキル基は飽和又は不飽和であることができる；
　Ｒ1は水素、又は置換されることも、飽和若しくは不飽和であることも、直鎖若しくは分枝鎖であることもできるＣ1−Ｃ6アルキル基であり；
　Ａはアリール若しくはヘテロアリールであり、Ａは水素；ヒドロキシ；メルカプト；アミノ；アシル；エステル；エステル化ヒドロキシ基；シアノ；ニトロ；置換されることも、直鎖若しくは分枝鎖であることもできるアルキル基部分が飽和のアルキル、アルコキシ、アルキルチオ及びアリールアルコキシ；置換されることができるアリール及びヘテロアリールから選択される１〜８個の置換基を有することができ；
　ｎは整数である］
で示されるケトンであって、但し
２−エトキシ−１−フェニル−エタノン、ヒドロキシ酢酸２−オキソ−２−フェニル−エチルエステル、酢酸１−メチル−２−オキソ−２−フェニル−エチルエステル及びｐ−メトキシフェナシルアセテートではない上記ケトン。
【請求項２】Ｒ1が水素であり、Ａが１個のメトキシ基によって置換される１個の芳香環である、請求項１に記載のケトン。
【請求項３】Ｒ1が水素であり、Ａが1個のメトキシ基によってパラ位置において置換されるフェニル基若しくはナフチル基；又は
で示される環系、又は両方の環が１個以上のメチル基によって置換されている上記環系である、請求項１に記載のケトン。
【請求項４】式Ｉ：
［式中、
Ｙは任意に置換されるアルキル、シクロアルキル、シクロアルキルアルキル、アルキルカルボニル、シクロアルキルカルボニル、アリールカルボニル、アルキルオキシカルボニル、シクロアルキルオキシカルボニル、アリールオキシカルボニル、アミド、オキシイミノカルボニル、アルキルチオカルボニル、シクロアルキルチオカルボニルであり、全てのアルキル基は直鎖又は分枝鎖であることができ、全てのアルキル及びシクロアルキル基は飽和又は不飽和であることができる；
　Ｒ1は水素、又は置換されることも、飽和若しくは不飽和であることも、直鎖若しくは分枝鎖であることもできるＣ1−Ｃ6アルキル基であり；
　Ａはアリール若しくはヘテロアリールであり、Ａは水素；ヒドロキシ；メルカプト；アミノ；アシル；エステル；エステル化ヒドロキシ基；シアノ；ニトロ；置換されることも、飽和若しくは不飽和であることも、直鎖若しくは分枝鎖であることもできるアルキル、アルコキシ、アルキルチオ及びアリールアルコキシ；置換されることができるアリール及びヘテロアリールから選択される１〜８個の置換基を有することができ、置換基の１つはポリマー基であることができ；
　ｎは整数である］
で示されるケトンの、フレグランス及び／又は抗微生物剤の先駆体としての使用。
【請求項５】洗剤、布帛柔軟剤、パーソナルケア製品、クリーニング組成
物及び日焼け止め製品における請求項４記載の使用。」
　
　この補正における請求項１は補正前の請求項１に、同請求項２は同請求項１２に、同請求項４は同請求項１８に、同請求項５は同請求項１９に対応するものと認められる。そして、この補正における請求項３は化合物に関するものであり、基Ａがａ．１個のメトキシ基によってパラ位置において置換されるフェニル基若しくはナフチル基、ｂ．
で示される環系、又はｃ．両方の環が１個以上のメチル基によって置換されている上記環系であることを特定するものであって、同じく化合物に関する補正前の請求項１３（基Ａが１個のメトキシ基によってパラ位置において置換される１個の芳香環であることを特定）に同請求項１４（基Ａが
で示される環系であり、両方の環が好ましくは１個以上のメチル基によって置換されることができることを特定）を加えたものに対応するものと認められるが、かかる補正は補正前に２の請求項において特定されていた事項を１の請求項において特定することを包含するものであるから、この補正は特許法第１７条の２第４項各号で規定するところの、請求項の削除、特許請求の範囲の減縮、誤記の訂正、明りょうでない記載の釈明のいずれを目的とするものでもない。
　
（２）むすび
　したがって、この補正は特許法第１７条の２第４項の規定に違反するものであるから、特許法第１５９条第１項で準用する同法第５３条第１項の規定により却下すべきものである。
　
３．本願発明について
（１）本願発明
　平成１４年２月４日付けの手続補正は上記のとおり却下されたので、本願の請求項１〜１９に係る発明（以下、「本願発明１〜１９」という。）は、平成１３年３月３０日付け手続補正書により補正された明細書の記載からみて、その特許請求の範囲の請求項１〜１９に記載された事項により特定される以下のとおりのものである。
「【請求項１】式Ｉ：
【化１】
［式中、
　Ｙは任意に置換されるアルキル、シクロアルキル、シクロアルキルアルキル、アルキルカルボニル、シクロアルキルカルボニル、アリールカルボニル、アルキルオキシカルボニル、シクロアルキルオキシカルボニル、アリールオキシカルボニル、アミド、オキシイミノカルボニル、アルキルチオカルボニル、シクロアルキルチオカルボニルであり、全てのアルキル基は直鎖又は分枝鎖であることができ、全てのアルキル及びシクロアルキル基は飽和又は不飽和であることができる；
　Ｒ1は水素、又は置換されることも、飽和若しくは不飽和であることも、直鎖若しくは分枝鎖であることもできるＣ1−Ｃ6アルキル基であり；
　Ａは発色団の芳香環若しくはヘテロ芳香環又は環系であり、Ａは水素；ヒドロキシ；メルカプト；アミノ；アシル；エステル；エステル化ヒドロキシ基；シアノ；ニトロ；置換されることも、直鎖若しくは分枝鎖であることもできるアルキル基部分が飽和のアルキル、アルコキシ、アルキルチオ及びアリールアルコキシ；置換されることができるアリール及びヘテロアリールから選択される１〜８個の置換基を有することができ；
　ｎは整数である］
で示されるケトンであって、但し
２−エトキシ−１−フェニル−エタノン、ヒドロキシ酢酸２−オキソ−２−フェニル−エチルエステル、酢酸１−メチル−２−オキソ−２−フェニル−エチルエステル及びｐ−メトキシフェナシルアセテートではない上記ケトン。
【請求項２】光による切断後に１つ以上の着臭性又は芳香性合物を生じる
、請求項１記載のケトン。
【請求項３】熱による切断後に１つ以上の着臭性又は芳香性化合物を生じ
る、請求項１又は２に記載のケトン。
【請求項４】加水分解による切断後に１つ以上の着臭性又は芳香性化合物
を生じる、請求項１〜３のいずれか１項に記載のケトン。
【請求項５】酵素による切断後に１つ以上の着臭性又は芳香性化合物を生
じる、請求項１〜４のいずれか１項に記載のケトン。
【請求項６】切断後に２つ以上の着臭性又は芳香性化合物を生じる、請求
項１〜５のいずれか１項に記載のケトン。
【請求項７】式ＩＩ：
【化２】
で示される着臭性又は芳香性アリールケトンを生じる、請求項１〜６のいずれか１項に記載のケトン。
【請求項８】１つ以上の着臭性又は芳香性アルデヒド又はケトンＹ＝Ｏを生じる、請求項１〜７のいずれか１項に記載のケトン。
【請求項９】Ｒ1が水素又はメチルである、請求項１〜８のいずれか１項に記載のケトン。
【請求項１０】Ｒ1が水素又はメチルであり、Ａが３個以下の置換基を有する、請求項１〜９のいずれか１項に記載のケトン。
【請求項１１】Ａが置換基としてメチル基を有する請求項１０記載のケトン。
【請求項１２】Ｒ1が水素であり、Ａが１個のメトキシ基によって置換される１個の芳香環である、請求項１〜９のいずれか１項に記載のケトン。
【請求項１３】Ａが１個のメトキシ基によってパラ位置において置換される１個の芳香環である請求項１２記載のケトン。
【請求項１４】Ａが、
【化３】
で示される環系であり、両方の環が好ましくは１個以上のメチル基によって置換されることができる、請求項１〜１１のいずれか１項に記載のケトン。
【請求項１５】ｎが１又は２である、請求項１〜１４のいずれか１項に記載のケトン。
【請求項１６】Ｙが表わす基がアリール；シクロアルキル；シクロアルケニル；オキソ；オキシ；シアノ；アミノ；ヒドロキシ；カルボン酸、炭酸エステル（カーボネート）、Ｎ，Ｎ−置換カルバミン酸（カルバメート）又はオキシイミノ炭酸によってエステル化されているヒドロキシ；オキシイミノカルボニルによって置換されているアミノ；エステル化カルボキシル基；及びオキシムによってエステル化されているカルボキシル基から選択された１個以上の置換基によって置換される、請求項１〜１５のいずれか１項に記載のケトン。
【請求項１７】　式Ｉ：
【化４】
［式中、
　Ｙは任意に置換されるアルキル、シクロアルキル、シクロアルキルアルキル、アルキルカルボニル、シクロアルキルカルボニル、アリールカルボニル、アルキルオキシカルボニル、シクロアルキルオキシカルボニル、アリールオキシカルボニル、アミド、オキシイミノカルボニル、アルキルチオカルボニル、シクロアルキルチオカルボニルであり、全てのアルキル基は直鎖又は分枝鎖であることができ、全てのアルキル及びシクロアルキル基は飽和又は不飽和であることができる；
　Ｒ1は水素、又は置換されることも、飽和若しくは不飽和であることも、直鎖若しくは分枝鎖であることもできるＣ1−Ｃ6アルキル基であり；
　Ａは発色団の芳香環若しくはヘテロ芳香環又は環系であり、Ａは水素；ヒドロキシ；メルカプト；アミノ；アシル；エステル；エステル化ヒドロキシ基；シアノ；ニトロ；置換されることも、飽和若しくは不飽和であることも、直鎖若しくは分枝鎖であることもできるアルキル、アルコキシ、アルキルチオ及びアリールアルコキシ；置換されることができるアリール及びヘテロアリールから選択される１〜８個の置換基を有することができ、置換基の１つはポリマー基であること
ができ；
　ｎは整数である］
で示されるケトンの着臭性又は芳香性化合物の先駆体としての使用。
【請求項１８】フレグランス及び／又は抗微生物剤の先駆体としての請求
項１７記載の使用。
【請求項１９】洗剤、布帛柔軟剤、パーソナルケア製品、クリーニング組
成物及び日焼け止め製品における請求項１８記載の使用。」
　
（２）引用例の記載事項
　平成１６年７月２６日付けの拒絶理由通知に引用された、本願優先権主張日前に頒布された刊行物である下記刊行物１〜１４には、以下の化合物が記載されている。
刊行物１：特開平６−３２１７４６号公報
　１−（ｐ−アセトキシフェニル）−２−アセトキシ−１−プロパノン（段落［００２８］、実施例２の成分１０）
刊行物２：特表平３−５００６４３号公報
　２−（全トランス−レチノイルオキシ）−４’−メトキシアセトフェノン（請求項３、実施例２）
刊行物３：特表平３−５００７６７号公報
　１３−シス−レチノイルオキシメチルフェニルケトン（実施例４）
刊行物４：特開平５−１６３２６１号公報
　２−アセトキシ−３’，４’−ジメトキシアセトフェノン（請求項６、段落［００２５］）
刊行物５：特開平３−５６４４１号公報
　Ｓ−４’−オクチルオキシ−ビフェニル−４−カルボン酸　４−（２−ペンタノイルオキシ−１−ケト−プロピル）フェニル（請求項１、実施例５）
刊行物６：特開昭５５−１５７５３９号公報
　ｐ−メトキシフェナシルＤ−２−［ｐ−（α、α、α−トリフルオロ−ｐ−トリルオキシ）フェノキシ］プロピオネート（請求項１、１４頁化合物Ｋ）
刊行物７：特開平２−２５４６６号公報
　２−（４−（３−クロロ−５−トリフルオロメチル−２−ピリジルオキシ）フェノキシ）プロピオン酸　２，５−ジメトキシフェニルカルボニルメチルエステル（請求項１、３頁、化合物番号７）
刊行物８：特開昭５８−５９９４７号公報
　シクロヘキシルオキシメチル（４−ベンジルオキシフェニル）メタノン（請求項８、実施例３　１．）
刊行物９：特開昭５９−１８４１７３号公報
　２−シクロヘキシルグリコロイルフロログルシノール（３頁左上欄一番下の化学構造式、右下欄１〜２行）
刊行物１０：特開昭５１−３９６４９号公報
　ＰＧＥ2フェナシルエステル（請求項１、実施例１）
刊行物１１：英国特許第１１８０５９４号明細書
　ω、４−ビス（クロロアセトキシ）−３−メトキシアセトフェノン（請求項１及び２、実施例１）
刊行物１２：S．I． TORGOVA et al．，’Phenacyl esters A new class of liquid−crystalline compound’，
LIQUID CRYSTRALS，1991, 10（6），p．881−6
　アルキルで置換されたシクロヘキシル（又はフェニル）カルボン酸のｐ位がアルコキシ、シアノ等で置換されたフェナシルエステル（Ｔａｂｌｅ　１）
刊行物１３：特開昭５７−１６５３７０号公報
　１−エトキシ−１−（４−メチルベンゾイル）ブタン（実施例５）
刊行物１４：Iris Ben-David et al．， ’tert-Butyl Hypofluorite−An
Electrophilic tert−Butoxylation Agent’， 
J．Org．Chem．， （1998），63（14），p．4632−5
５−ｔ−ブトキシアセチルインダン、２−ｔ−ブトキシアセトフェノン（化合物２２，３１）
　
（３）対比・判断
　本願発明１は請求項１に記載された式（Ｉ）で示される化合物の発明であるから、これを刊行物１に記載された上記化合物（以下、「刊行物１化合物」という。）と対比する。刊行物１化合物は置換基としてｐ−アセトキシフェニル、プロパノン部に存在するメチル、２−アセトキシ部のアセチルを有する化合物であるが、これはｎ＝１である式（Ｉ）で示される化合物において基Ａがエステル化ヒドロキシ基で置換された発色団の芳香環、基Ｒ1がＣ1アルキル基、基Ｙがアルキルカルボニルである化合物に相当するから、刊行物１化合物は本願発明１の式（Ｉ）で示される化合物である。また、刊行物１化合物は請求項１において但し書きによって除かれた化合物でもない。したがって、本願発明１は刊行物１に記載された発明である。
　
　以下、同様に、刊行物２〜１４に記載された上記化合物（以下、「刊行物２〜１４化合物」という。）について検討する。
刊行物２化合物は置換基として４’−メトキシフェニル、アセトフェノンのアセチルのメチレン部に存在する水素、全トランス−レチノイルを有する化合物であるが、これはｎ＝１である式（Ｉ）で示される化合物において基Ａがアルコキシで置換された発色団の芳香環、基Ｒ1が水素、基Ｙが置換されたアルキル基が不飽和のアルキルカルボニルである化合物に相当し、
刊行物３化合物は置換基としてフェニル、メチル部に存在する水素、１３−シス−レチノイルを有する化合物であるが、これはｎ＝１である式（Ｉ）で示される化合物において基Ａが発色団の芳香環、基Ｒ1が水素、基Ｙが置換されたアルキル基が不飽和のアルキルカルボニルである化合物に相当し、
刊行物４化合物は置換基として３’，４’−ジメトキシフェニル、アセトフェノンのアセチルのメチレン部に存在する水素、アセチルを有する化合物であるが、これはｎ＝１である式（Ｉ）で示される化合物において基Ａが２個のアルコキシで置換基された発色団の芳香環、基Ｒ1が水素、基Ｙがアルキルカルボニルである化合物に相当し、
刊行物５化合物は置換基として４’−オクチルオキシ−ビフェニル−４−カルボン酸フェニル、プロピル部に存在するメチル、ペンタノイルを有する化合物であるが、これはｎ＝１である式（Ｉ）で示される化合物において基Ａがエステル化ヒドロキシ基で置換された発色団の芳香環、基Ｒ1がＣ1アルキル基、基Ｙがアルキルカルボニルである化合物に相当し、
刊行物６化合物は置換基としてｐ−メトキシフェニル、フェナシルのメチレン部に存在する水素、２−［ｐ−（α、α、α−トリフルオロ−ｐ−トリルオキシ）フェノキシ］プロピオニルを有する化合物であるが、これはｎ＝１である式（Ｉ）で示される化合物において基Ａがアルコキシで置換された発色団の芳香環、基Ｒ1が水素、基Ｙが置換されたアルキルカルボニルである化合物に相当し、
刊行物７化合物は置換基として２，５−ジメトキシフェニル、カルボニルメチルのメチル部に存在する水素、２−（４−（３−クロロ−５−トリフルオロメチル−２−ピリジルオキシ）フェノキシ）プロピオニルを有する化合物であるが、これはｎ＝１である式（Ｉ）で示される化合物において基Ａが２個のアルコキシで置換基された発色団の芳香環、基Ｒ1が水素、基Ｙが置換されたアルキルカルボニルである化合物に相当し、
刊行物８化合物は置換基としてベンジルオキシフェニル、シクロヘキシルオキシメチルのメチル部に存在する水素、シクロヘキシルを有する化合物であるが、これはｎ＝１である式（Ｉ）で示される化合物において基Ａがアルキル基部分が置換されたアルコキシで置換された発色団の芳香環、基Ｒ1が水素、基Ｙがシクロアルキルである化合物に相当し、
刊行物９化合物は置換基としてフロログルシノール、グリコロイルのメチレン部に存在する水素、シクロヘキシルを有する化合物であるが、これはｎ＝１である式（Ｉ）で示される化合物において基Ａが３個のヒドロキシで置換された発色団の芳香環、基Ｒ1が水素、基Ｙがシクロアルキルである化合物に相当し、
刊行物１０化合物は置換基としてフェニル、フェナシルのメチレン部に存在する水素、ＰＧＥ2のエステル形成部のカルボニル側の部分を有する化合物であるが、これはｎ＝１である式（Ｉ）で示される化合物において基Ａが発色団の芳香環、基Ｒ1が水素、基Ｙが置換されたアルキルカルボニルである化合物に相当し、
刊行物１１化合物は置換基として４−クロロアセトキシ−３−メトキシフェニル、アセトフェノンのアセチル部に存在する水素、クロロアセチルを有する化合物であるが、これはｎ＝１である式（Ｉ）で示される化合物において基Ａがエステル化ヒドロキシ基、アルコキシで置換された発色団の芳香環、基Ｒ1が水素、基Ｙが置換されたアルキルカルボニルである化合物に相当し、
刊行物１２化合物は置換基としてｐ−位がアルコキシ、シアノで置換されたフェニル、フェナシルのメチレン部に存在する水素、アルキルで置換されたシクロヘキシル（又はフェニル）カルボニルを有する化合物であるが、これはｎ＝１である式（Ｉ）で示される化合物において基Ａがアルコキシ、シアノで置換された発色団の芳香環、基Ｒ1が水素、基Ｙが置換されたシクロアルキルカルボニル、置換されたアリールカルボニルである化合物に相当し、
刊行物１３化合物は置換基として４−メチルフェニル、ブタン部に存在するプロピル、エチルを有する化合物であるが、これはｎ＝１である式（Ｉ）で示される化合物において基Ａがアルキルで置換された発色団の芳香環、基Ｒ1がＣ3アルキル基、基Ｙがアルキルである化合物に相当し、
刊行物１４化合物は置換基としてインダン又はフェニル、アセチルのメチレン部に存在する水素、ｔ−ブチルを有する化合物であるが、これはｎ＝１である式（Ｉ）で示される化合物において基Ａが発色団の芳香環又は環系、基Ｒ1が水素、基Ｙがアルキルである化合物に相当する。
　
　したがって、刊行物２〜１４化合物はいずれも本願発明１の式（Ｉ）に相当する化合物であり、請求項１において但し書きによって除かれた化合物でもないから、本願発明１は刊行物２〜１４に記載された発明である。
　
　以上のとおり、本願発明１は刊行物１〜１４に記載された発明であるから、特許法第２９条第１項第３号に該当し、特許を受けることができないものである。
　
（４）むすび
　以上のとおりであるから、本願発明１は特許法第２９条第１項第３号に該当し、特許を受けることができないものであり、本願発明２〜１９について検討するまでもなく、本願は拒絶すべきものである。
　よって、結論のとおり審決する。